(57)【要約】【課題】  消費電力がより低いマルチファンクション端末を提供することを目的とするものである。【解決手段】  無線通信処理を行う無線通信制御手段と、マルチファンクションを実現する高速制御手段と、上記マルチファンクション端末内の電力を供給する内部電源供給手段と、上記マルチファンクション端末の外から、電力の供給を受けるインタフェース手段と、上記インタフェース手段によって電力が供給されていることを検出する電力供給検出手段と、上記内部電源供給手段からの電力と、上記インタフェース手段からの電力とを切り換える切換手段とを有し、上記無線制御手段によって上記内線無線端末との通信を検出すると、上記高速制御手段への内部電源手段またはインタフェース手段からの電力を停止するマルチファンクション端末である。【選択図】  図１
2005354491.tif 000002
【特許請求の範囲】
【請求項１】
複数の動作モードを具備し、無線を用いた内線無線端末を収容可能なマルチファンクション端末において、
無線通信処理を行う無線通信制御手段と；
マルチファンクションを実現する制御手段と；
上記マルチファンクション端末内の電力を供給する内部電源供給手段と；
上記マルチファンクション端末の外から、電力の供給を受けるインタフェース手段と；
上記インタフェース手段によって電力が供給されていることを検出する電力供給検出手段と；
上記内部電源供給手段からの電力と、上記インタフェース手段からの電力とを切り換える切換手段と；
を有し、上記無線制御手段によって上記内線無線端末との通信を検出すると、上記制御手段への内部電源供給手段またはインタフェース手段からの電力を停止することを特徴とするマルチファンクション端末。
【請求項２】
請求項１において、
上記無線通信制御手段は、内部電源供給手段からの電力の供給がないが上記インタフェース手段から電力の供給を受けていることを検出した後に、上記高速制御手段がスリープモードに切り換ったと判断されると、上記高速制御手段が制御している高速制御部への電力の供給を停止する手段であることを特徴とするマルチファンクション端末。
【請求項３】
請求項２において、
上記無線制御手段は、上記内部電源供給手段からの電力と上記インタフェース手段からの電力との供給を受けていることを検出した後に、上記高速制御部への電力を停止した後に、上記内部電源供給手段の出力を停止する手段であることを特徴とするマルチファンクション端末。
【請求項４】
請求項３において、
上記無線制御手段は、本体電源からの電力を受けているが、上記インタフェース手段から電力の供給を受けていないことを検出した後に、上記高速制御部への電力を停止する手段であることを特徴とするマルチファンクション端末。
【請求項５】
複数の動作モードを有するマルチファンクション端末において、
通話処理を行う通信制御手段と；
マルチファンクションを実現する制御手段と；
上記マルチファンクション端末内の電力を供給する内部電源供給手段と；
上記マルチファンクション端末外から電力供給を受けるインタフェース手段と；
上記インタフェース手段を介して、電力が供給されていることを検出する電力供給検出手段と；
上記内部電源供給手段からの電力と、上記インタフェース手段からの電力とを切り換える切換手段と；
を有し、上記通信制御手段は、上記制御手段によって上記インタフェース手段からの電力の供給を受けられることを判断した場合、制御手段をスリープモードに設定する手段であることを特徴とするマルチファンクション端末。
【請求項６】
請求項５において、
上記通信制御手段は、内部電源供給手段からの電力の供給がなく、上記インタフェース手段から電力供給を受けていることを、検出した後に、上記制御手段がスリープモードに切り換ったことを判断すると、上記制御手段が制御している制御部への電力の供給を停止する手段であることを特徴とするマルチファンクション端末。
【請求項７】
請求項６において、
上記通信制御手段は、上記内部電源供給手段からの電力と、上記インタフェース手段からの電力との供給を受けていることを検出した後に、上記制御部への電力を停止した後に、上記内部電源供給手段の出力を停止する手段であることを特徴とするマルチファンクション端末。
【請求項８】
請求項７において、
上記通信制御手段は、上記内部電源供給手段からの電力を受け、上記インタフェース手段から電力の供給を受けていないことを検出した後に、上記制御部への電力を停止する手段であることを特徴とするマルチファンクション端末。
【請求項９】
複数の動作モードを具備し、無線通信部を収容可能なマルチファンクション端末であり、当該マルチファンクション端末の外から、電力の供給を受けるインタフェース部と当該マルチファンクション端末内の電力を供給する内部電源供給部と該内部電源供給部からの電力と、該インタフェース部からの電力とを切り換える切換部と、マルチファンクションを実現する制御部とを備えたマルチファンクション端末の制御方法において、
無線通信処理を行う無線通信制御工程と；
上記インタフェース部によって電力が供給されていることを検出する電力供給検出工程と；
上記無線制御工程によって上記無線通信部との通信を検出すると、上記制御部への内部電源供給部またはインタフェース部からの電力を停止する電力制御工程と；
を有することを特徴とするマルチファンクション端末の制御方法。
【請求項１０】
請求項９において、
上記無線通信制御工程は、内部電源供給部からの電力の供給がないが上記インタフェース部から電力の供給を受けていることを検出した後に、上記制御部がスリープモードに切り換ったと判断されると、上記制御部への電力の供給を停止する工程であることを特徴とするマルチファンクション端末の制御方法。
【請求項１１】
請求項１０において、
上記無線制御工程は、上記内部電源供給部からの電力と上記インタフェース部からの電力との供給を受けていることを検出した後に、上記制御部への電力を停止した後に、上記内部電源供給部の出力を停止する工程であることを特徴とするマルチファンクション端末の制御方法。
【請求項１２】
請求項１１において、
上記無線制御工程は、内部電源供給部からの電力を受けているが、上記インタフェース部から電力の供給を受けていないことを検出した後に、上記制御部への電力を停止する工程であることを特徴とするマルチファンクション端末の制御方法。
【請求項１３】
複数の動作モードを具備し、通話処理を行う通信制御部を収容可能なマルチファンクション端末であり、当該マルチファンクション端末の外から、電力の供給を受けるインタフェース部と当該マルチファンクション端末内の電力を供給する内部電源供給部と該内部電源供給部からの電力と、該インタフェース部からの電力とを切り換える切換部と、マルチファンクションを実現する制御部とを備えたマルチファンクション端末の制御方法において、複数の動作モードを有するマルチファンクション端末において、
上記インタフェース部を介して、電力が供給されていることを検出する電力供給検出工程と；
上記内部電源供給部からの電力と、上記インタフェース部からの電力とを切り換える切換工程と；
を有し、上記通信制御工程は、上記制御部によって上記インタフェース部からの電力の供給を受けられることを判断した場合、制御部をスリープモードに設定する工程であることを特徴とするマルチファンクション端末の制御方法。
【請求項１４】
請求項１３において、
上記通信制御工程は、内部電源供給部からの電力の供給がなく、上記インタフェース部から電力供給を受けていることを、検出した後に、上記制御部がスリープモードに切り換ったことを判断すると、上記制御部への電力の供給を停止する工程であることを特徴とするマルチファンクション端末の制御方法。
【請求項１５】
請求項１４において、
上記通信制御工程は、上記内部電源供給部からの電力と、上記インタフェース部からの電力との供給を受けていることを検出した後に、上記制御部への電力を停止した後に、上記内部電源供給部の出力を停止する工程であることを特徴とするマルチファンクション端末の制御方法。
【請求項１６】
請求項１５において、
上記通信制御工程は、上記内部電源供給部からの電力を受け、上記インタフェース部から電力の供給を受けていないことを検出した後に、上記制御部への電力を停止する工程であることを特徴とするマルチファンクション端末の制御方法。
【発明の詳細な説明】
【技術分野】
【０００１】
本発明は、ＰＣ（Ｐｅｒｓｏｎａｌ  Ｃｏｍｐｕｔｅｒ）と、ＵＳＢ（Ｕｎｉｖｅｒｓａｌ  Ｓｅｒｉａｌ  Ｂｕｓ）とを介して接続可能なインタフェースを有し、コピー・スキャナ・ＦＡＸ機能を実現可能であり、特に内線に無線で収容可能な無線内線端末を具備し、上記無線内線端末によって公衆回線に発呼可能な電話機能を有するマルチファンクション端末とその制御方法に関する。
【背景技術】
【０００２】
従来の画像形成装置として、待機時に、電源制御手段によって自己電源を遮断し、外部の電力供給手段からの給電によって、最小動作部分を動作させ、これによって、省電力を実現している画像形成装置が知られている（たとえば、特許文献１参照）。
【特許文献１】特開２００１−２１１２７４号公報
【発明の開示】
【発明が解決しようとする課題】
【０００３】
しかし、上記従来の画像形成装置においては、画像処理や記録処理を行うために、高速のクロックを用いたＣＰＵを使用する必要があり、高速のクロックを用いて動作する場合、ハンドセットを用いた回線通話等の通常処理時における消費電流が、大きくなるという問題がある。
【０００４】
また、上記従来例において、高速処理部は、無線通信するときに、ＲＯＭやＲＡＭにバスを用いたアクセスを行うので、コードレス周波数帯域のノイズを出し、これによって、コードレスの音質劣化を起すという問題がある。
【０００５】
本発明は、消費電力がより低いマルチファンクション端末を提供することを目的とするものである。
【課題を解決するための手段】
【０００６】
本発明は、複数の動作モードを具備し、無線を用いた内線無線端末を収容可能なマルチファンクション端末において、無線通信処理を行う無線通信制御手段と、マルチファンクションを実現する高速制御手段と、上記マルチファンクション端末内の電力を供給する内部電源供給手段と、上記マルチファンクション端末の外から、電力の供給を受けるインタフェース手段と、上記インタフェース手段によって電力が供給されていることを検出する電力供給検出手段と、上記内部電源供給手段からの電力と、上記インタフェース手段からの電力とを切り換える切換手段とを有し、上記無線制御手段によって上記内線無線端末との通信を検出すると、上記高速制御手段への内部電源手段またはインタフェース手段からの電力を停止するマルチファンクション端末である。
【発明の効果】
【０００７】
本発明によれば、マルチファンクション端末の消費電力がより低くなるという効果を奏する。
【発明を実施するための最良の形態】
【０００８】
発明を実施するための最良の形態は、以下の実施例である。
【実施例１】
【０００９】
図１は、本発明の実施例１であるマルチファンクション端末１０２およびその周辺を示すブロック図である。
【００１０】
マルチファンクション端末１０２は、電話機能を搭載し、アナログ電話回線またはＩＳＤＮ等の公衆回線１０１を介して、相手端末１００との間で通信が可能である。
【００１１】
ＰＣ（パーソナルコンピュータ）１０３は、ＵＳＢとＩＥＥＥ１３９４とを介して、マルチファンクション端末１０２と接続し、電力の供給が可能である。
【００１２】
無線内線端末１０４は、マルチファンクション端末１０２との間で無線で接続され、音声通話やデータ通信が可能である。
【００１３】
図２は、マルチファンクション端末１０２の内部構成を示す図である。
【００１４】
マルチファンクション端末１０２は、無線制御部２００と、高速制御部２０１と、ＲＯＭ２０２と、ＲＡＭ２０３と、通信処理部２０４と、アナログスイッチ部２０５と、ハンドセット２０６と、スピーカ２０７と、音源部２０８と、ＵＳＢｉ／ｆ２０９と、切換部２１０と、本体電源２１１と、キー入力部２１２と、フック検出部２１３と、表示部２１４と、記録部２１５と、読取部２１６と、原稿検出部２１７と、モデム２１８と、アドレスおよびデータバス２１９と、データ信号線２２０と、無線部２２１と、スイッチ２２２とを有する。
【００１５】
無線制御部２００は、通信処理部２０４、スイッチ部２０５、音源部２０８、無線部２２１を制御し、収容している内線無線端末１０４を用いて、相手端末１００との通話を制御する。また、無線制御部２００のポートに、本体電源からの電力（Ｖｃｃ）と、ＰＣからの電力（Ｖｂｕｓ）信号とを入力し、定期的にポートの状態を検出し、本体電源からの電力Ｖｃｃで動作しているのか、ＰＣからの電力Ｖｂｕｓで動作しているのかを調べ、高速制御部２０１への電力の供給を制御する。無線制御部２００は、内部にＲＯＭ、ＲＡＭを内蔵し、動作可能であるワンチップマイコンが考えられる。
【００１６】
高速制御部２０１は、データバス２１９を介して、各部との間で信号を入力し、この入力した信号に応じて、データバス２１９に接続されている各構成要素を制御する。すなわち、高速制御部２０１は、ＲＯＭ２０２に格納されている処理プログラムに応じて、表示処理、コピー、プリンタ、モデムによる送受信の処理を制御する。
【００１７】
ＲＯＭ２０２は、プログラムを格納し、このプログラムは、ＰＣ１０３からの電力の給電を制御する給電制御、キー入力部２１２やフック検出部２１３を監視し、ユーザの要求を検出し、記録部２１５や読取部２１６を制御し、コピーやＰＣプリントを実現する読取、記録動作、モデム２１８を制御し、データモデムによるメールの送受信、ファクシミリモデムとしてのＦＡＸ送受信、ナンバーディスプレーの表示、音声合成信号の出力を実現するプログラムである。
【００１８】
また、ＲＯＭ２０２は、データの書込み、消去が可能なＥ２ＰＲＯＭまたはフラッシュＲＯＭで構成されている。
【００１９】
ＲＡＭ２０３は、高速制御部２０１が読取、記録処理を含む各処理を実行する場合に使用するメモリである。ＲＡＭ２０３には、ＲＯＭ２０２とは異なり、一時的なデータが記憶される。ＲＡＭ２０３は、電池等でバックアップされ、作成した文字メッセージや受信した文字メッセージ、各種サービス機能の設定内容や電話帳に登録した内容を記憶する。ＲＡＭ２０３を、不揮発性のメモリであるＥ２ＰＲＯＭ等によって構成するようにしてもよい。
【００２０】
通信処理部２０４は、公衆回線１０１を収容するインタフェースであり、公衆回線１０１がアナログ回線である場合、局交換機の電話回線に接続され、ダイオードによる全波整流回路によって構成されている。また、通信処理部２０４は、回線電圧の極性を一致させるための極性一致回路と、回路局交換機の加入者線に接続され、局交換機からの呼出信号を検出するリンガー検出回路と、ハンドセット２０６またはオフフックキーの押下によるオフフック操作が行われると、回線ループを形成し、また、局に対してダイヤルパルス等の選択信号を送出するリレー回路と、２線−４線変換を行うためのトランス回路とによって構成されている。
【００２１】
実施例１は、アナログ回線を使用した場合の実施例であるが、ＩＳＤＮ等のデジタル回線を使用するようにしてもよい。
【００２２】
アナログスイッチ部２０５は、無線制御部２００からの制御によってモデム２１８からの信号や、音源部２０８、ハンドセット２０６、スピーカ２０７等のアナログ入出力信号の通信処理部２０４への入出力の切り換えを行う。また、アナログスイッチ部２０５は、内部にアッテネータを有し、アナログ信号のレベルを変換することができる。
【００２３】
ハンドセット２０６は、音声の入出力を行う。スピーカ２０７は、着信音や記憶した音声データの出力と、ＦＡＸ通信時のモニタとを行う。
【００２４】
音源部２０８は、保留音や着信メロディーの音源であり、内部に音源データを記憶し、無線制御部２００の制御によって、アナログ信号を出力する。また、ＤＴ、ＢＴ、ＲＢＴ等のコールプログレストーンを出力する音源でもある。
【００２５】
ＵＳＢｉ／ｆ２０９は、ケーブルによってＰＣ１０３と接続され、ＰＣ１０３からの給電を受け、また、ＰＣ１０３からの電力（Ｖｂｕｓ）を、切換部２１０に供給する。また、ＵＳＢｉ／ｆ２０９は、ＰＣ１０３とのデータ送受信を行うためのドライバＩＣとトランスとによって構成されている。
【００２６】
切換部２１０は、本体電源２１１からの電力と、ＵＳＢｉ／ｆ２０９からの電力とを切り換え、通信処理部と高速処理部とに、電力の状態に応じて、切り換えて供給するスイッチＳＷ１、スイッチＳＷ２によって構成されている。
【００２７】
本体電源２１１は、ＡＣを用いたスイッチング電源や、２次電池を用いたバッテリによって構成され、切換部２１０と電源ＯＦＦブロックとに、電力（Ｖｃｃ）を供給する。
【００２８】
「電力ＯＦＦブロック」は、表示部２１４、記録部２１５、読取部２１６、原稿検出部２１７、モデム２１８によって構成されている。
【００２９】
キー入力部２１２は、ダイヤル番号やＵＲＬ等を、０〜９、＊、＃、上記キーを利用して、アルファベットや記号等を入力するダイヤルキー、ファクシミリの送受信を制御する送信キー、受信キー、回線のＯＮ／ＯＦＦを制御するオフフックキー、留守番電話を設定するための留守番電話キー、着信を鳴動させたくないときに押下する「おやすみキー」、機能設定を行うための機能キー、機能キーの押下によって機能の選択モードに入ったときに、選択とセットとを行うセットキー等の選択キーによって構成されている。
【００３０】
フック検出部２１３は、特にハンドセットのＯＮ／ＯＦＦを検出し、回線のＯＮ／ＯＦＦを制御し、また、フックキーを検出し、通話の開始、切断に係るオンフック／オフフック状態を検出する。
【００３１】
表示部２１４は、時刻の表示、通信中の回線状態とエラー等の状態とを表示し、主に液晶等で構成され、キー入力部２１２でキー入力された文字メッセージや、受信した文字メッセージを表示し、さらには、電話機の各種サービス機能の設定内容も表示する。また、表示部２１４は、表示を行う液晶パネル（ＴＦＴ、ＤＳＴＮ）と、カラー表示を可能にするバックライトと、インバータとによって構成されている。表示部２１４は、主制御部の設定によって、所定時間キー入力等が行われない場合、インバータやドライバを制御して表示を停止する。
【００３２】
記録部２１５は、感熱型、熱転写型プリンタ、またはレーザビームプリンタ、インクジェットプリンタ等の周知の印字手段を備えた記録部であり、ＭＨ、ＭＲ、ＭＭＲ符号化されたデジタルデータを復号化し、この復号化したデータを印字データとして印字する。
【００３３】
読取部２１６は、ＣＣＤまたは密着型センサアレイ等の周知の原稿読取手段を備え、読取部２１６は、読取手段で読み取ったアナログデータを、デジタルデータに変換し、また、この変換されたデジタルデータを、ＭＨ、ＭＲ、ＭＭＲ等の周知の符号化方法によって符号化し、出力する。
【００３４】
原稿検出部２１７は、読取部２１６上の送信原稿の有無を検出し、この検出の結果を高速制御部２０１に通知する。
【００３５】
モデム２１８は、デジタル信号処理プロセッサであり、機能的には、メールを送受信するデータモデム機能や、Ｇ３ＦＡＸによるファクシミリを送受信するファクシミリモデムの機能を、高速制御部２０１の制御によって実現する。
【００３６】
アドレスおよびデータバス２１９は、高速制御部２０１が各部の設定を行うために使用する。
【００３７】
データ信号線２２０は、無線制御部２００と高速制御部２０１との間で、各種動作を制御するコマンドをやり取りするデータ信号線である。
【００３８】
無線部２２１は、内線無線端末との間で無線による通信を行うためのアンテナ、ＲＦモジュール、送受信信号の変調・復調を行うベースバンドＩＣによって構成されている。
【００３９】
起動スイッチ２２２は、高速処理部全体への電力の供給を停止しているときに、ユーザが要求する場合、押下することによって、高速処理部全体に電力の供給処理を行うトリガとなるスイッチである。
【００４０】
次に、ＵＳＢｉ／ｆ２０９からの電力と、本体電源２１１からの電力とを切り換える動作について説明する。
【００４１】
図３は、ＵＳＢｉ／ｆ２０９からの電力と、本体電源２１１からの電力とを、切換部２１０が切り換える動作を示す図である。
【００４２】
［切換部構成］
切換部２１０は、切換スイッチＳＷ１と、切換スイッチＳＷ２とによって構成されている。
【００４３】
切換スイッチＳＷ１は、Ｖｂｕｓを電源として動作可能なリレーである。切換スイッチＳＷ２は、Ｖｃｏｍを電源として動作可能なリレーである。
【００４４】
切換スイッチＳＷ１によって、Ｖｂｕｓ、Ｖｃｃを切り換えた電力が、Ｖｃｏｍであり、この電力Ｖｃｏｍが、通信処理部の全体に供給される。切換スイッチＳＷ２によって、Ｖｂｕｓ、Ｖｃｃを切り換えた電力が、Ｖｓｅｌであり、この電力Ｖｓｅｌが、高速処理部全体に供給される。
【００４５】
［本体電源ＯＮ、ＰＣが接続されているときにおける通常動作］
ＵＳＢｉ／ｆ２０９にＰＣが接続されていない場合、Ｖｂｕｓへの電力の供給は行われない。本体電源２１１からのＶｃｃのみが、切換部２１０に供給される。
【００４６】
Ｖｂｕｓが供給されない場合、切換スイッチＳＷ１は、Ｖｂｕｓを動作電源にしているので、スイッチがＶｃｏｍ側に切り換えられる。
【００４７】
［本体電源ＯＮ、ＰＣが接続されていないときにおける省電力動作］
ＵＳＢｉ／ｆ２０９にＰＣが接続されていない場合、Ｖｂｕｓへの電力の供給は行われない。この状態で、無線制御部２００が省電力モードに移行する場合、または内線無線端末を用いて音声通話を行う場合、無線制御部２００は、高速通信処理部への電力Ｖｓｅｌの供給を停止する。
【００４８】
高速処理部への電力を停止するには、制御信号線Ｖｃｎｔ１＝‘Ｈ’、Ｖｃｎｔ３＝‘Ｈ’を設定することによって、切換スイッチＳＷ２は、Ｖｓｅｌへの出力を停止する。
【００４９】
［本体電源ＯＮ、ＰＣが接続されているときにおける通常動作］
ＵＳＢｉ／ｆ２０９にＰＣが接続されている場合、Ｖｂｕｓへの電力の供給が行われる。この処理は、高速制御部２０１が、ＵＳＢｉ／ｆ２０９からの電力Ｖｂｕｓを検出し、本体電源２１１からのＶｃｃも供給されていることを検出すると、Ｖｃｎｔ１＝‘Ｈ’、Ｖｃｎｔ３＝‘Ｌ’を設定する。この処理によって、切換スイッチＳＷ２は、高速処理部にＶｃｃを供給する。
【００５０】
また、通信処理部に、Ｖｃｎｔ２＝‘Ｈ’を設定することによって、本体電源２１１の電力Ｖｃｃを供給する。
【００５１】
［本体電源ＯＮ、ＰＣが接続されているときにおける省電力動作時］
ＵＳＢｉ／ｆ２０９にＰＣが接続されている場合、Ｖｂｕｓの電力が供給される。この状態で、高速処理部がスリープ状態に移行したこと、または内線無線端末によって相手端末１００との音声通話が行われたことを、無線制御部２００が判断すると、高速処理部への電力Ｖｓｅｌを遮断するための処理を行う。
【００５２】
この処理は、高速制御部２０１が、ＵＳＢｉ／ｆ２０９からの電力Ｖｂｕｓを検出し、本体電源２１１からのＶｃｃも供給されていることを検出すると、Ｖｃｎｔ１＝‘Ｈ’、Ｖｃｎｔ３＝‘Ｈ’を設定する。この処理によって、切換スイッチＳＷ２は、高速処理部への電力Ｖｃｃの供給を停止する。
【００５３】
また、通信処理部に、Ｖｃｎｔ２＝‘Ｌ’を設定することによって、ＵＳＢｉ／ｆ２０９からの電力Ｖｂｕｓを供給する。
【００５４】
［本体電源ＯＮ、ＰＣが接続されているときにおけるＡＣ遮断時の処理］
ＵＳＢｉ／ｆ２０９にＰＣが接続されている場合、Ｖｂｕｓの電力の供給が行われる。この状態で、高速処理部がスリープ状態に移行したことを、無線制御部２００が判断するか、相手端末１００との間で音声通話処理が行われると、内線無線端末が判断すると、高速処理部への電力Ｖｓｅｌを遮断する処理を行う。
【００５５】
この処理は、高速制御部２０１が、ＵＳＢｉ／ｆ２０９からの電力Ｖｂｕｓを検出し、本体電源２１１からのＶｃｃも供給されていることを検出すると、Ｖｃｎｔ１＝‘Ｈ’、Ｖｃｎｔ３＝‘Ｈ’を設定する。この処理によって、切換スイッチＳＷ２は、高速処理部への電力Ｖｃｃの供給を停止する。
【００５６】
また、通信処理部に、Ｖｃｎｔ２＝‘Ｌ’を設定することによって、ＵＳＢｉ／ｆ２０９からの電力Ｖｂｕｓを供給する。
【００５７】
この処理後に、無線制御部２００は、更なる省電力に移行するために、Ｖｃｎｔ２＝‘Ｌ’を設定し、本体電源２１１からの出力を停止する。
【００５８】
［本体電源ＯＦＦ、ＰＣが接続されているときにおける電源立ち上げ時の処理］
ＵＳＢｉ／ｆ２０９にＰＣが接続されている場合、Ｖｂｕｓの電力の供給が行われる。この状態で、無線制御部２００が、高速処理部がスリープ状態に移行したことを判断するか、内線無線端末が相手端末１００との間で音声通話処理が行われると判断すると、高速処理部への電力Ｖｓｅｌを遮断する処理を行う。
【００５９】
この処理は、高速制御部２０１が、ＵＳＢｉ／ｆ２０９からの電力Ｖｂｕｓを検出し、本体電源２１１からのＶｃｃが供給されていないことを検出すると、Ｖｃｎｔ１＝‘Ｌ’、Ｖｃｎｔ３＝‘Ｌ’を設定する。この処理によって、切換スイッチＳＷ２は、高速処理部への電力Ｖｂｕｓの供給を停止する。
【００６０】
また、通信処理部には、Ｖｃｎｔ２＝‘Ｌ’に設定することによって、ＵＳＢｉ／ｆ２０９からの電力Ｖｂｕｓを供給する。
【００６１】
次に、実施例１の動作について説明する。
【００６２】
図４は、マルチファンクション端末１０２において、高速制御部２０１の動作を示すフローチャートである。
【００６３】
高速制御部２０１は、定期的に所定のポートをモニタし、現在供給されている電力が、ＵＳＢｉ／ｆ２０９から供給されているかどうかを調べる。無線制御部２００は、本体電源２１１からＶｃｃが供給されているかどうかを調べる（Ｓ１０１）。本体電源からの電力の供給がない場合、ＵＳＢｉ／ｆ２０９からのＶｂｕｓが供給されていることを確認する（Ｓ１０２）。
【００６４】
高速制御部２０１は、本体電源２１１からのＶｃｃが供給されていないことを検出すると（Ｓ１０２）、ＵＳＢｉ／ｆ２０９からのＶｂｕｓによって動作していると判断し、ＵＳＢｉ／ｆ２０９を介して、ホストＰＣ１０３とのエニュメレーションが可能なブロックのみを動作する。さらに、Ｖｃｃ電源で動作するブロックからの割り込みや、検出信号を、マスクする処理を行う。また、入力信号をマスクするだけでなく、高速制御部２０１に設けられている読取部２１６からのアナログ信号を、アナログ／デジタル変換するＡ／Ｄコンバータ部、記録部２１５を制御するＰＷＭ部等への内部クロックの供給の停止や、リセットの処理等の初期化を行う（Ｓ１０３）。周辺ブロックに、電力を消費しないようにリセット処理を行う。
【００６５】
上記初期化処理が終了すると、ＰＣから供給される最小電力で、システムを動作させ、無線制御部２００に必要な電力を、ＰＣ１０３に要求する（Ｓ１０４）。回線発呼を可能にするには、およそ２００〜３００ｍＡの電流があれば、十分動作可能である。
【００６６】
ＰＣ１０３への電力要求後に、所望の電力供給を許可されないことを検出すると（Ｓ１０５）、最小電力での動作処理を継続し（Ｓ１１２）、処理時間が経過するかどうかを監視する（Ｓ１１３）。所定時間経過したことを検出すると、再度バスパワーを監視する処理を開始する。
【００６７】
高速制御部２０１が所望する電力を供給可能であると許容されたことを、ＰＣ１０３が検出すると（Ｓ１０５）、高速制御部２０１は、ＵＳＢｉ／ｆ２０９からの所望の電力が供給されたことを、無線制御部２００に通知する（Ｓ１０６）。この処理後に、高速制御部２０１は、無線制御部２００から送られた信号を解析し、高速コピーや、プリント等の高速な処理が開始されるかどうかを調べる（Ｓ１０７）。
【００６８】
高速制御部２０１は、データ信号線２２０を介して、スリープモードになることを、無線制御部２００から要求されているかどうかをも調べる（Ｓ１０８）。スリープモードになることを要求されない場合、他の処理が要求されるかどうかを調べる（Ｓ１０７）。
【００６９】
高速制御部２０１は、スリープモードになることを、無線制御部２００から要求されたことを検出した場合（Ｓ１０８）、ＲＡＭ２０３等に、データのバックアップ等を行い、高速制御部２０１周辺を、スリープ状態に移行させる処理を行う（Ｓ１０９）。スリープへの移行が完了すると（Ｓ１１０）、高速制御部２０１は、高速制御部２０１全体がスリープになることを、無線制御部２００に通知する（Ｓ１１１）。
【００７０】
図５は、マルチファンクション端末１０２において、無線制御部２００の本体電源２１１から電力が供給されない場合の動作を示すフローチャートである。
【００７１】
無線制御部２００は、起動すると、まず、自らのポートを検出し、本体電源２１１からのＶｃｃによって動作しているのかどうか、ＵＳＢｉ／ｆ２０９からのＶｂｕｓによって動作しているのかどうかを判断する（Ｓ２０１）。
【００７２】
本体電源２１１から電力が供給されていないと判断すると（Ｓ２０１）、高速制御部２０１との初期化動作を行うことが可能なブロックのみを動作可能とし、他の内部ブロックと周辺ブロックとの動作を停止する（Ｓ２０２）。この処理によって、電源投入後の消費電力を低減し、ＵＳＢからの電力で動作可能になる。
【００７３】
この処理中に、高速制御部２０１から、ＵＳＢｉ／ｆ２０９を介して、動作可能な電流を供給できることを示す通知を、無線制御部２００が受けると（Ｓ２０３）、通信処理部全体を、動作可能な状態に初期化する（Ｓ２０４）。その後に、通信関連の通信処理を行う（Ｓ２０５）。
【００７４】
通常処理に移行した後に、所定時間が経過するかどうかを監視する（Ｓ２０６）。所定時間が経過しなければ、通信処理部２０４または無線部２２１からの通知によって、内線無線端末から、発着信が行われたかどうかを監視する（Ｓ２１４）。無線制御部２００は、内線無線端末から発着信が行われたことを検出すると（Ｓ２１４）、高速制御部全体への電力を停止する処理を開始する（Ｓ２０７）。
【００７５】
通常動作時に、所定時間が経過すると（Ｓ２０６）、無線制御部２００は、高速処理部全体への電力の供給を停止する処理を開始する（Ｓ２０７）。この処理は、無線制御部２００のポート信号（Ｖｃｎｔ１）を制御し、本体電源２１１の１次のＦＥＴの発信を停止させる。１次−２次の発信を制御しているフォトカプラの動作を停止することによって、本体電源２１１からの電力の供給を停止することが可能である。
【００７６】
無線制御部２００は、自らのポートの状態を検出し、Ｖｃｃが供給されなくなったことを確認し（Ｓ２０８）、ＵＳＢｉ／ｆ２０９からの電力（Ｖｂｕｓ）によって、通信処理を行う（Ｓ２０９）。
【００７７】
この処理中に、キー入力部２１２から、コピーやＦＡＸ等の処理を要求されたことを、無線制御部２００が検出すると（Ｓ２１０）、ポート信号（Ｖｃｎｔ１）を制御し、本体電源２１１のフォトカプラを動作可能にし、本体電源２１１から電力を供給する（Ｓ２１１）。この処理が終了した後に、コピーやＦＡＸ通信等の高速処理を開始する（Ｓ２１２）。
【００７８】
図６は、実施例１であるマルチファンクション端末１０２において、通信制御部の本体電源２１１からの電力がある場合の動作を示すフローチャートである。
【００７９】
無線制御部２００は、自らのポートを監視し、本体電源からの電力が供給されていることを検出すると（Ｓ３０１）、ＵＳＢｉ／ｆ２０９からの電力も、同時に供給されていることを確認する。
【００８０】
この処理の開始時に、通信処理部は、本体電源２１１からの電力供給を基に動作する。
【００８１】
ＵＳＢｉ／ｆ２０９から電力が供給されていることを、無線制御部２００が検出すると、無線制御部２００は、所定時間が経過したかどうかを監視する（Ｓ３０２）。所定時間が経過したことを検出したら、スリープ状態になることを要求する信号を、高速制御部２０１に出力する（Ｓ３０４）。所定時間が経過しなければ、無線制御部２００は、通信処理部２０４または無線部２２１からの通知によって、内線無線端末を用いた発着信が行われたかどうかを監視する（Ｓ３０３）。
【００８２】
発着信を検出しなければ、再度所定時間が経過したかどうかを監視する（Ｓ３０２）。内線無線端末１０４を用いて発着信が行われたことを検出すると、無線制御部２００は、スリープ状態になることを要求する信号を、高速制御部２０１に出力する（Ｓ３０４）。
【００８３】
この処理後に、スリープ状態になったことを、データ信号線２２０を介して、高速制御部２０１から通知されると（Ｓ３０５）、高速処理部に供給している本体電源２１１からのＶｃｃを遮断する処理を実行する（Ｓ３０６）。この処理は、切換部２１０を制御し、高速処理部への電力Ｖｓｅｌの出力を停止する処理である。
【００８４】
また、無線制御部２００は、ＵＳＢｉ／ｆ２０９からの電力供給を基に動作することとし、本体電源２１１からの電力からでなく、ＵＳＢｉ／ｆ２０９からの電力を供給するように、切換部２１０を制御する（Ｓ３０７）。無線制御部２００は、ポートの状態を検出し、無線制御部２００にＶｂｕｓが供給されたことを検出する（Ｓ３０８）。
【００８５】
この処理後に、高速制御部２０１は、制御線Ｖｃｎｔ１を制御し、本体電源２１１のフォトカプラの制御を停止させることによって、本体電源２１１の出力を停止する（Ｓ３０９）。本体電源２１１の出力が停止したことを、無線制御部２００が、自分のポートを監視することによって検出すると（Ｓ３１０）、切換スイッチ部２２２から、高速処理を必要とする要求があるかどうかを検出する。
【００８６】
本体電源２１１から電力を受けているときに、ＵＳＢｉ／ｆ２０９からの電力供給を受けていないことを、自分のポートを監視することによって、検出すると（Ｓ３０１）、検出後、所定時間が経過したかどうかを監視する（Ｓ３１１）。
【００８７】
所定時間が経過しなければ、無線制御部２００は、通信処理部２０４または無線部２２１からの通知によって、内線無線端末を用いた発着信が行われるかどうかを監視する（Ｓ３１２）。
【００８８】
発着信を検出しない場合、再度所定時間が経過するかどうかを監視する（Ｓ３１１）。内線無線端末１０４を用いて発着信が行われたことを検出すると、無線制御部２００は、スリープ状態になることを要求する信号を、高速制御部２０１に出力する（Ｓ３１３）。
【００８９】
所定時間が経過すると、無線制御部２００は、スリープ状態に移行する要求を、データ信号線２２０を用いて、高速制御部２０１に通知する（Ｓ３１３）。
【００９０】
この処理後に、高速制御部２０１から、スリープ状態になったことを示す通知を受けると（Ｓ３１４）、切換部２１０を制御し、高速処理部への電力Ｖｓｅｌの供給を停止する処理を行う（Ｓ３１５）。この処理後に、高速処理部への電力の供給が停止すると、通信処理部のみ、本体電源２１１で動作するモードへ移行する（Ｓ３１６）。その後に、切換スイッチ部２２２から、コピーやＦＡＸ等の高速の動作処理が要求されると（Ｓ３１７）、切換部２１０を制御し、再度本体電源２１１からの電力Ｖｓｅｌを供給する処理を、高速処理部に行う（Ｓ３１８）。
【００９１】
実施例１において、通信処理部２０４がアナログ回線であるが、ＩＳＤＮのＤＳＵ（Ｄｉｇｉｔａｌ  Ｓｅｒｖｉｃｅ  Ｕｎｉｔ）、ＶＯＩＰによるインターネット接続を可能にするネットワークコントローラやＡＤＳＬを、実施例１において使用するようにしてもよい。
【００９２】
上記実施例によれば、マルチファンクション端末の消費電力がより低くなる。また、上記実施例によれば、また、無線通信時に高速処理部のバスアクセスが停止するので、無線に対するノイズが低減し、通話品質の良いマルチファンクション端末を提供することができる。
【実施例２】
【００９３】
図７は、本発明の実施例２であるマルチファンクション端末４０２およびその周辺を示す図である。
【００９４】
相手端末４００は、マルチファンクション端末４０２と通信可能な相手端末である。公衆回線４０１は、アナログ電話回線またはＩＳＤＮ等の公衆回線である。マルチファンクション端末４０２は、電話機能を搭載し、公衆回線４０１を介して、相手端末と通信が可能であるマルチファンクション端末４０２である。ＰＣ（パーソナルコンピュータ）４０３は、マルチファンクション端末４０２とＵＳＢやＩＥＥＥ１３９４を介して接続し、電力の供給が可能である。
【００９５】
図８は、マルチファンクション端末４０２の内部構成を示す図である。
【００９６】
マルチファンクション端末４０２は、通信制御部５００と、高速制御部５０１と、ＲＯＭ５０２と、ＲＡＭ５０３と、通信処理部５０４と、アナログスイッチ部５０５と、ハンドセット５０６と、スピーカ５０７と、音源部５０８と、ＵＳＢｉ／ｆ５０９と、切換部５１０と、本体電源５１１と、キー入力部５１２と、フック検出部５１３と、表示部５１４と、記録部５１５と、読取部５１６と、原稿検出部５１７と、モデム５１８と、アドレスおよびデータバス５１９と、データ信号線５２０とを有する。
【００９７】
通信制御部５００は、通信処理部５０４、スイッチ部５０５、キー入力部５１２、フック検出部５１３を制御し、ハンドセット５０６を用いて、相手端末４００と通話を制御する。また、通信制御部５００のポートに、本体電源からの電力（Ｖｃｃ）と、ＰＣ４０３からの電力（Ｖｂｕｓ）信号とを入力し、定期的にポートの状態を検出し、本体電源からの電力Ｖｃｃで動作しているのか、ＰＣからの電力Ｖｂｕｓで動作しているのかを確認し、高速制御部５０１への電力の供給を制御する。通信制御部５００は、内部にＲＯＭ、ＲＡＭを内蔵し、動作可能であるワンチップマイコンが考えられる。
【００９８】
高速制御部５０１は、データバス５１９を介して、各部との間で、信号を入力し、この入力した信号に応じて、データバス５１９に接続されている各構成要素を制御する。すなわち、高速制御部５０１は、ＲＯＭ５０２に格納されている処理プログラムにしたがって、コピー、プリンタ、モデムによる送受信の処理の制御を行う。
【００９９】
ＲＯＭ５０２は、ＰＣ４０３からの電力の給電を制御するための給電制御、記録部５１５や読取部５１６を制御し、コピーやＰＣプリントを実現する読取、記録動作、モデム５１８を制御してデータモデムによるメールの送受信、ファクシミリモデムとしてのＦＡＸ送受信、ナンバーディスプレーの表示、音声合成信号の出力を実現するプログラムが格納されている。また、ＲＯＭ５０２は、データの書込み、消去が可能なＥ２ＰＲＯＭまたはフラッシュＲＯＭで構成されている。
【０１００】
ＲＡＭ５０３は、高速制御部５０１が読取、記録処理を含む各処理を実行する場合に使用するメモリである。ここには、ＲＯＭ５０２と異なり、一時的なデータが記憶される。ＲＡＭ５０３は、電池等でバックアップされ、作成した文字メッセージや受信した文字メッセージ、各種サービス機能の設定内容や電話帳に登録した内容を記憶する。また、ＲＡＭ５０３を、不揮発性のメモリであるＥ２ＰＲＯＭ等で構成するようにしてもよい。
【０１０１】
通信処理部５０４は、公衆回線４０１を収容するインタフェースであり、アナログ回線の場合、局交換機の電話回線に接続され、ダイオードによる全波整流回路によって構成され、回線電圧の極性を一致させる極性一致回路、回路局交換機の加入者線に接続され、局交換機からの呼出信号を検出するリンガー検出回路、ハンドセット５０６またはオフフックキーの押下によるオフフック操作が行われると、回線ループを形成するとともに、局に対してダイヤルパルス等の選択信号を送出するリレー回路、２線−４線変換を行うためのトランス回路で構成されている。
【０１０２】
実施例２において、アナログ回線を使用しているが、ＩＳＤＮ等のデジタル回線を使用するようにしてもよい。
【０１０３】
アナログスイッチ部５０５は、通信制御部５００からの制御によってモデム５１８からの信号や音源部５０８、ハンドセット５０６、スピーカ５０７等のアナログ入出力信号の通信処理部５０４への入出力の切り換えを行い、また、内部にアッテネータを有し、アナログ信号のレベルを変換することができる。
【０１０４】
ハンドセット５０６は、音声の入出力を行う。スピーカ５０７は、着信音や記憶した音声データの出力とＦＡＸ通信時のモニタとを行う。
【０１０５】
音源部５０８は、保留音や着信メロディーの音源であり、内部に音源データを記憶し、通信制御部５００の制御によって、アナログ信号を出力する。また、ＤＴ、ＢＴ、ＲＢＴ等のコールプログレストーンを出力するための音源でもある。
【０１０６】
ＵＳＢｉ／ｆ５０９は、ケーブルによって、ＰＣ４０３と接続され、ＰＣ４０３からの給電を受けるとともに、ＰＣ４０３からの電力（Ｖｂｕｓ）を、切換部５１０に供給する。ＰＣ４０３との間でデータ送受信を行う場合に備えて、ドライバＩＣとトランスとが設けられている。
【０１０７】
切換部５１０は、本体電源５１１からの電力と、ＵＳＢｉ／ｆ５０９からの電力とを、切り換え、電力の状態によって、通信処理部と高速処理部とに切り換えて供給するスイッチＳＷ１１、スイッチＳＷ１２によって構成されている。
【０１０８】
本体電源５１１は、ＡＣを用いたスイッチング電源や、２次電池を用いたバッテリによって構成され、切換部５１０と電源ＯＦＦブロックとに、電力（Ｖｃｃ）を供給する。「電力ＯＦＦブロック」として、表示部５１４、記録部５１５、読取部５１６、原稿検出部５１７、モデム５１８が考えられる。
【０１０９】
キー入力部５１２は、ダイヤル番号やＵＲＬ等を、０〜９、＊、＃、上記キーを利用し、アルファベットや記号等を入力するダイヤルキー、ファクシミリの送受信を制御する送信キー、受信キー、回線のＯＮ／ＯＦＦを制御するオフフックキー、留守番電話を設定するための留守番電話キー、着信を鳴動させたくないときに押下する「おやすみキー」や、機能設定を行う機能キーや、機能キーの押下によって機能の選択モードに入ったときに、選択、セットするためのセットキー等の選択キーによって構成されている。
【０１１０】
フック検出部５１３は、特に、ハンドセットのＯＮ／ＯＦＦを検出し、回線ＯＮ／ＯＦＦを制御する。また、フックキーの検出を行い、通話の開始、切断に係るオンフック／オフフック状態を検出する。
【０１１１】
表示部５１４は、時刻の表示や、通信中の回線状態、エラー等の状態を表示し、主に液晶等で構成されている。また、表示部５１４は、キー入力部５１２でキー入力された文字メッセージや、受信した文字メッセージも表示する。さらには、電話機の各種サービス機能の設定内容も表示する。
【０１１２】
表示部５１４の内部構造は、表示する液晶パネル（ＴＦＴ、ＤＳＴＮ）、カラー表示を可能にするバックライトとインバータとによって構成されている。表示部５１４は、主制御部の設定によって、所定時間キー入力等が行われない場合、インバータやドライバを制御し、表示を停止する。
【０１１３】
記録部５１５は、感熱型、熱転写型プリンタ、またはレーザビームプリンタ、インクジェットプリンタ等の周知の印字手段を備えた記録部であり、ＭＨ、ＭＲ、ＭＭＲ符号化されたデジタルデータを復号化し、この復号化したデータを印字データとして印字する。
【０１１４】
読取部５１６は、ＣＣＤまたは密着型センサアレイ等の周知の原稿読取手段を具備し、読取手段が読み取ったアナログデータを、デジタルデータに変換し、また、この変換されたデジタルデータを、ＭＨ、ＭＲ、ＭＭＲ等の周知の符号化方法によって符号化し、出力する。
【０１１５】
原稿検出部５１７は、読取部５１６上の送信原稿の有無を検出し、この検出結果を、高速制御部５０１に通知する。
【０１１６】
モデム５１８は、デジタル信号処理プロセッサであり、機能的には、メールの送受信を行うデータモデム機能や、Ｇ３ＦＡＸによるファクシミリの送受信を行うファクシミリモデムの機能を、マイクロ高速制御部５０１の制御によって実現する。
【０１１７】
アドレスおよびデータバス５１９は、高速制御部５０１が各部の設定を行うために使用する。
【０１１８】
データ信号線５２０は、通信制御部５００と高速制御部５０１との間で、各種動作の制御を行うためのコマンドをやり取りする。
【０１１９】
次に、ＵＳＢｉ／ｆ５０９と本体電源５１１とからの電力を切り換える動作について、説明する。
【０１２０】
［切換部構成］
図９は、マルチファンクション端末４０２における切換部５１０を示す図である。
【０１２１】
切換部５１０は、切換スイッチＳＷ１１と切換スイッチＳＷ１２とによって構成されている。
【０１２２】
切換スイッチＳＷ１１によって、Ｖｂｕｓ、Ｖｃｃを切り換えた電力が、Ｖｃｏｍであり、通信処理部全体に電力を供給する。切換スイッチＳＷ１２によって、Ｖｂｕｓ、Ｖｃｃを切り換えた電力が、Ｖｓｅｌであり、高速処理部全体に電力を供給する。
【０１２３】
切換スイッチＳＷ１１は、Ｖｂｕｓを電源として動作可能なリレーである。切換スイッチＳＷ１２は、Ｖｃｏｍを電源として動作可能なリレーである。
【０１２４】
［本体電源ＯＮ、ＰＣ４０３が接続されていないときにおける通常動作］
ＵＳＢｉ／ｆ５０９にＰＣ４０３が接続されていない場合、Ｖｂｕｓへの電力の供給は行われず、本体電源５１１からのＶｃｃのみが、切換部５１０に供給される。
【０１２５】
Ｖｂｕｓが供給されない場合、切換スイッチＳＷ１１は、Ｖｂｕｓを動作電源にしているので、スイッチがＶｃｏｍ側に切り換えられる。
【０１２６】
［本体電源ＯＮ、ＰＣ４０３が接続されていないときにおける省電力動作］
ＵＳＢｉ／ｆ５０９に、ＰＣ４０３が接続されていない場合、Ｖｂｕｓへの電力の供給は、行われず、この状態で、通信制御部５００が、省電力モードに移行する場合、通信制御部５００は、高速通信処理部への電力Ｖｓｅｌを停止する処理を行う。
【０１２７】
高速処理部への電力を停止するには、制御信号線Ｖｃｎｔ１＝‘Ｈ’、Ｖｃｎｔ３＝‘Ｈ’を設定し、切換スイッチＳＷ１２が、Ｖｓｅｌへの出力を停止する。
【０１２８】
［本体電源ＯＮ、ＰＣ４０３が接続されているときにおける通常動作］
ＵＳＢｉ／ｆ５０９にＰＣ４０３が接続されている場合、Ｖｂｕｓへの電力の供給が行われる。この処理は、通信制御部５００が、ＵＳＢｉ／ｆ５０９からの電力Ｖｂｕｓを検出し、本体電源５１１からのＶｃｃも供給されていることを検出すると、Ｖｃｎｔ１＝‘Ｈ’、Ｖｃｎｔ３＝‘Ｌ’を設定する。この処理によって、切換スイッチＳＷ１２は、高速処理部に、Ｖｃｃを供給する。
【０１２９】
また、通信処理部に対しては、Ｖｃｎｔ２＝‘Ｈ’に設定することによって、本体電源５１１の電力Ｖｃｃを供給する。
【０１３０】
［本体電源ＯＮ、ＰＣ４０３が接続されているときにおける省電力動作時］
ＵＳＢｉ／ｆ５０９にＰＣ４０３が接続されている場合、Ｖｂｕｓの電力が供給される。この状態で、高速処理部がスリープ状態に移行したことを、通信制御部５００が判断すると、通信制御部５００が、高速処理部への電力Ｖｓｅｌを遮断する処理を行う。
【０１３１】
この処理は、通信制御部５００が、ＵＳＢｉ／ｆ５０９からの電力Ｖｂｕｓを検出し、本体電源５１１からのＶｃｃも供給されていることを検出すると、Ｖｃｎｔ１＝‘Ｈ’、Ｖｃｎｔ３＝‘Ｈ’を設定する。これによって、切換スイッチＳＷ１２は、高速処理部に対する電力Ｖｃｃの供給を停止する。
【０１３２】
また、通信処理部に、Ｖｃｎｔ２＝‘Ｌ’を設定することによって、ＵＳＢｉ／ｆ５０９からの電力Ｖｂｕｓを供給する。
【０１３３】
［本体電源ＯＮ、ＰＣ４０３が接続されているときにおけるＡＣ遮断時の処理］
ＵＳＢｉ／ｆ５０９にＰＣ４０３が接続されている場合、Ｖｂｕｓの電力の供給が行われる。この状態で、高速処理部がスリープ状態に移行したことを、通信制御部５００が判断すると、通信制御部５００が、高速処理部への電力Ｖｓｅｌを遮断する。
【０１３４】
この処理は、通信制御部５００が、ＵＳＢｉ／ｆ５０９からの電力Ｖｂｕｓを検出し、本体電源５１１からＶｃｃも供給されていることを検出すると、Ｖｃｎｔ１＝‘Ｈ’、Ｖｃｎｔ３＝‘Ｈ’を設定する。これによって、切換スイッチＳＷ１２は、高速処理部に対する電力Ｖｃｃの供給を停止する。
【０１３５】
また、通信処理部に対して、Ｖｃｎｔ２＝‘Ｌ’を設定することによって、ＵＳＢｉ／ｆ５０９から電力Ｖｂｕｓを供給する。
【０１３６】
この処理後に、通信制御部５００は、さらに省電力に移行するために、Ｖｃｎｔ２＝‘Ｌ’を設定し、本体電源５１１からの出力を停止する。
【０１３７】
［本体電源ＯＦＦ、ＰＣ４０３が接続されているときにおける電源立ち上げ時の処理］
ＵＳＢｉ／ｆ５０９にＰＣ４０３が接続されている場合、Ｖｂｕｓの電力が供給される。この状態で、高速処理部がスリープ状態に移行したことを、通信制御部５００が判断すると、通信制御部５００が、高速処理部への電力Ｖｓｅｌを遮断する処理を行う。
【０１３８】
この処理は、通信制御部５００が、ＵＳＢｉ／ｆ５０９からの電力Ｖｂｕｓを検出し、本体電源５１１からのＶｃｃが供給されていないことを検出すると、Ｖｃｎｔ１＝‘Ｌ’、Ｖｃｎｔ３＝‘Ｌ’を設定する。この処理によって、切換スイッチＳＷ１２は、高速処理部に対する電力Ｖｂｕｓの供給を停止する。
【０１３９】
また、通信処理部に対しては、Ｖｃｎｔ２＝‘Ｌ’を設定することによって、ＵＳＢｉ／ｆ５０９からの電力Ｖｂｕｓを供給する。
【０１４０】
次に、実施例２の動作について説明する。
【０１４１】
図１０は、実施例２であるマルチファンクション端末４０２において、高速制御部５０１の動作を示すフローチャートである。
【０１４２】
高速制御部５０１は、定期的に所定のポートをモニタし、現在供給されている電力が、ＵＳＢｉ／ｆ５０９から供給されている電力であるかどうかを検出する。通信制御部５００は、本体電源５１１からのＶｃｃが供給されているかどうかを検出する（Ｓ４０１）。本体電源から電力供給がなければ、ＵＳＢｉ／ｆ５０９からＶｂｕｓが供給されていることを確認する（Ｓ４０２）。
【０１４３】
高速制御部５０１は、本体電源５１１からＶｃｃが供給されていないことを検出すると（Ｓ４０２）、ＵＳＢｉ／ｆ５０９からのＶｂｕｓによって動作していると判断し、ＵＳＢｉ／ｆ５０９を介して、ホストＰＣ４０３とのエニュメレーションが可能なブロックのみを、動作させる。
【０１４４】
さらに、Ｖｃｃ電源で動作するブロックからの割り込みや検出信号をマスクする処理を行う。また、入力信号をマスクするだけでなく、高速制御部５０１内に設けられている回路、つまり、読取部５１６からのアナログ信号のアナログ／デジタル変換を行うＡ／Ｄコンバータ部、記録部５１５を制御するＰＷＭ部等へ、内部クロックの供給の停止や、リセットの処理等の初期化を行う（Ｓ４０３）。周辺ブロックに対して、電力を消費しないようにリセット処理を行う。
【０１４５】
上記初期化処理が終了すると、ＰＣ４０３から供給される最小電力によって、システムを動作させ、通信制御部５００に必要な電力を、ＰＣ４０３に要求する処理を行う（Ｓ４０４）。回線発呼を可能にするには、およそ２００〜３００ｍＡの電流があれば、十分動作可能である。
【０１４６】
ＰＣ４０３への電力要求後に、所望の電力供給が許可されないことを検出すると（Ｓ４０５）、最小電力での動作処理を継続し（Ｓ４１２）、処理時間が経過したかどうかを監視する（Ｓ４１３）。所定時間が経過したことを検出すると、バスパワーを監視する処理を再度開始する。
【０１４７】
高速制御部５０１が所望する電力を供給可能であることが許容されたことを、ＰＣ４０３が検出すると（Ｓ４０５）、高速制御部５０１は、ＵＳＢｉ／ｆ５０９からの所望の電力が供給されたことを、通信制御部５００に通知する（Ｓ４０６）。この処理後に、高速制御部５０１は、通信制御部５００から送られた信号を解析し、高速コピーや、プリント等の高速な処理が開始されたことを検出する（Ｓ４０７）。
【０１４８】
高速制御部５０１は、データ信号線５２０を介して、スリープモードになることを、通信制御部５００が要求していることを検出する（Ｓ４０８）。スリープモードになることを要求されない場合、他の処理が要求されていることを検出する（Ｓ４０７）。
【０１４９】
高速制御部５０１は、スリープモードになることを通信制御部５００が要求していることを、検出した場合（Ｓ４０８）、ＲＡＭ５０３等にデータのバックアップ等を行い、高速制御部５０１周辺を、スリープ状態に移行させる処理を行う（Ｓ４０９）。スリープへの移行が完了すると（Ｓ４１０）、高速制御部５０１は、高速制御部５０１全体がスリープになったことを、通信制御部５００に通知する（Ｓ４１１）。
【０１５０】
図１１は、実施例２であるマルチファンクション端末４０２において、通信制御部５００の本体電源５１１から電力供給がない場合における動作を示すフローチャートである。
【０１５１】
通信制御部５００は、起動すると、まず、自らのポートを検出し、本体電源５１１からのＶｃｃによって動作しているのか、ＵＳＢｉ／ｆ５０９からのＶｂｕｓによって動作しているのかを判断する（Ｓ５０１）。
【０１５２】
本体電源５１１から電力供給がないと判断すると（Ｓ５０１）、高速制御部５０１との初期化動作を行うことが可能なブロックのみを、動作可能とし、他の内部ブロックと周辺ブロックとの動作を停止する（Ｓ５０２）。この処理によって、電源投入後の消費電力を低減し、ＵＳＢからの電力で動作可能になる。
【０１５３】
この処理中に、高速制御部５０１から、ＵＳＢｉ／ｆ５０９を介して、通信制御部５００が動作可能な電流を供給できる旨の通知を受けると（Ｓ５０３）、通信処理部全体を動作可能な状態に初期化する（Ｓ５０４）。その後に、通信関連の通信処理を行う（Ｓ５０５）。通常処理に移行した後に、所定時間が経過すると（Ｓ５０６）、通信制御部５００は、高速処理部全体への電力の供給を停止する処理を開始する（Ｓ５０７）。この処理は、通信制御部５００のポート信号（Ｖｃｎｔ１）を制御し、本体電源５１１の１次のＦＥＴの発信を停止させる。この制御を行う場合、１次−２次の発信を制御しているフォトカプラの動作を停止することによって、本体電源５１１からの電力供給を停止することができる。
【０１５４】
通信制御部５００は、自らのポートの状態を検出し、Ｖｃｃが供給されなくなったことを確認し（Ｓ５０８）、ＵＳＢｉ／ｆ５０９からの電力（Ｖｂｕｓ）によって、通信処理を行う（Ｓ５０９）。
【０１５５】
本処理中に、コピーやＦＡＸ等の処理を要求されたことを、キー入力部５１２から、通信制御部５００が検出すると（Ｓ５１０）、ポート信号（Ｖｃｎｔ１）を制御し、本体電源５１１に設けられているフォトカプラを動作可能にし、本体電源５１１から電力を供給する（Ｓ５１１）。この処理が終了した後に、コピーやＦＡＸ通信等の高速処理を開始する（Ｓ５１２）。
【０１５６】
図１２は、実施例２であるマルチファンクション端末４０２において、通信制御部の本体電源５１１から電力を受けている場合の動作を示すフローチャートである。
【０１５７】
通信制御部５００は、自らのポートを監視し、本体電源からの電力が供給されていることを検出すると（Ｓ６０１）、ＵＳＢｉ／ｆ５０９からの電力も同時に供給されているかどうかを調べる。
【０１５８】
この処理開始時は、通信処理部は、本体電源５１１からの電力供給を基に動作する。
【０１５９】
ＵＳＢｉ／ｆ５０９からの電力の供給が行われていることを、通信制御部５００が検出すると、通信制御部５００は、スリープ状態になることを要求する信号を、高速制御部５０１に出力する（Ｓ６０２）。この処理後に、スリープ状態になったことを、データ信号線５２０を介して、高速制御部５０１から通知されると（Ｓ６０４）、高速処理部に供給している本体電源５１１からのＶｃｃを遮断する処理を行う（Ｓ６０４）。この処理は、切換部５１０を制御し、高速処理部への電力Ｖｓｅｌの出力を停止する処理である。
【０１６０】
また、通信制御部５００は、ＵＳＢｉ／ｆ５０９からの電力供給を基に動作するとし、本体電源５１１からの電力からではなく、ＵＳＢｉ／ｆ５０９からの電力を供給するように、切換部５１０を制御する（Ｓ６０５）。
【０１６１】
通信制御部５００は、ポートの状態を検出し、Ｖｂｕｓが通信制御部５００に供給されたことを検出する（Ｓ６０６）。
【０１６２】
この処理後に、通信制御部５００は、制御線Ｖｃｎｔ１を制御し、本体電源部５１１のフォトカプラの制御を停止させることによって、本体電源５１１の出力を停止する（Ｓ６０７）。本体電源５１１の出力が停止したことを、通信制御部５００が、自分のポートを監視することによって検出すると、キー入力部５１２から、高速処理を必要とする要求があるかどうかを検出する。
【０１６３】
本体電源５１１から電力を受けているときに、ＵＳＢｉ／ｆ５０９から電力供給を受けていないことを、自分のポートを監視することによって、検出すると（Ｓ６０１）、検出後から所定時間が経過したかどうかを監視する（Ｓ６０９）。所定時間が経過すると、通信制御部５００は、スリープ状態に移行する要求を、データ信号線５２０を用いて、高速処理部５０１に通知する（Ｓ６１０）。
【０１６４】
この処理後に、スリープ状態になった旨の通知を、高速制御部５０１から受けると（Ｓ６１１）、切換部５１０を制御し、高速処理部への電力Ｖｓｅｌの供給を停止する処理を行う（Ｓ６１２）。
【０１６５】
この処理後に、高速処理部への電力供給が停止すると、通信処理部のみ、本体電源５１１で動作するモードへ移行する（Ｓ６１３）。その後に、キー入力部５１２等によって、コピーやＦＡＸ等の高速の動作処理が要求されると（Ｓ６１４）、切換部５１０を制御し、再度本体電源５１１からの電力Ｖｓｅｌを、高速制御部に供給する処理を行う（Ｓ６１５）。
【０１６６】
実施例２においては、通信処理部５０４にアナログ回線を接続しているが、このようにする代わりに、ＩＳＤＮのＤＳＵ（Ｄｉｇｉｔａｌ  Ｓｅｒｖｉｃｅ  Ｕｎｉｔ）、ＶＯＩＰによるインターネット接続を可能にするネットワークコントローラやＡＤＳＬを、通信処理部５０４に接続するようにしてもよい。
【図面の簡単な説明】
【０１６７】
【図１】本発明の実施例１であるマルチファンクション端末１０２およびその周辺を示すブロック図である。
【図２】マルチファンクション端末１０２の内部構成を示す図である。
【図３】ＵＳＢｉ／ｆ２０９からの電力と、本体電源２１１からの電力とを、切換部２１０が切り換える動作を示す図である。
【図４】マルチファンクション端末１０２において、高速制御部２０１の動作を示すフローチャートである。
【図５】マルチファンクション端末１０２において、無線制御部２００の本体電源２１１から電力が供給されない場合の動作を示すフローチャートである。
【図６】実施例１であるマルチファンクション端末１０２において、通信制御部の本体電源２１１からの電力がある場合の動作を示すフローチャートである。
【図７】本発明の実施例２であるマルチファンクション端末４０２およびその周辺を示す図である。
【図８】マルチファンクション端末４０２の内部構成を示す図である。
【図９】マルチファンクション端末４０２における切換部５１０を示す図である。
【図１０】実施例２であるマルチファンクション端末４０２において、高速制御部５０１の動作を示すフローチャートである。
【図１１】実施例２であるマルチファンクション端末４０２において、通信制御部５００の本体電源５１１から電力供給がない場合における動作を示すフローチャートである。
【図１２】実施例２であるマルチファンクション端末４０２において、通信制御部の本体電源５１１から電力を受けている場合の動作を示すフローチャートである。
【符号の説明】
【０１６８】
１００、４００…相手端末、
１０２、４０２…マルチファンクション端末、
１０３、４０３…ＰＣ、
１０４…内線無線端末、
２００…無線制御部
５００…通信制御部、
２０１、５０１…高速制御部、
２０９、５０９…ＵＳＢｉ／ｆ、
２１０、５１０…切換部、
２１１、５１１…ＡＣ電源（本体電源）、
ＳＷ１、ＳＷ２、ＳＷ１１、ＳＷ１２…スイッチ。
【図１】
2005354491.tif 000003
【図２】
2005354491.tif 000004
【図３】
2005354491.tif 000005
【図４】
2005354491.tif 000006
【図５】
2005354491.tif 000007
【図６】
2005354491.tif 000008
【図７】
2005354491.tif 000009
【図８】
2005354491.tif 000010
【図９】
2005354491.tif 000011
【図１０】
2005354491.tif 000012
【図１１】
2005354491.tif 000013
【図１２】
2005354491.tif 000014